(57)【要約】【解決手段】  ＩＤカードの個人データと、入力された暗証番号との少なくとも何れか一方が予め登録されている解除権を有するデータに一致する場合に、断熱扉を電磁的にロックするロック装置の解除を可能にするようにして、不必要な扉開放操作を回避できる医療用保管庫を提供すること。【構成】  断熱扉と断熱箱本体とで形成される収納室と、断熱扉を電磁的にロックするロック装置と、ＩＤカードの個人データを読み取るカードリーダと、暗証番号を登録する入力部と、個人データを記憶する第１のメモリと、入力された暗証番号を記憶する第２のメモリと、予め設定・記憶された複数の解除可能データと、前記第１のメモリに記憶された個人データと解除可能データが一致するか、または、入力部に暗証番号が入力された場合に、正当な解除権者であると判断して、ロック装置の解除信号を出力する制御装置とを備えたもの。【選択図】      図１
2005133502.tif 000002
【特許請求の範囲】
【請求項１】
開口を有する断熱箱本体に対して開閉自在に取り付けられる断熱扉と、当該断熱扉と断熱箱本体とで形成される収納室とを備えた医療用保管庫において、前記断熱扉を電磁的にロックするロック装置を設け、ＩＤカードの個人データと、入力された暗証番号との少なくとも何れか一方が予め登録されている解除権を有するデータに一致する場合に、ロック装置の解除を可能にすることを特徴とする医療用保管庫。
【請求項２】
開口を有する断熱箱本体に対して開閉自在に取り付けられる断熱扉と、当該断熱扉と断熱箱本体とで形成される収納室とを備えた医療用保管庫において、前記断熱扉を電磁的にロックするロック装置と、ＩＤカードの個人データを読み取るカードリーダと、暗証番号を登録する入力部と、個人データを記憶する第１のメモリと、入力された暗証番号を記憶する第２のメモリと、予め設定・記憶された複数の解除可能データと、前記第１のメモリに記憶された個人データと解除可能データが一致するか、または、入力部に暗証番号が入力された場合に、正当な解除権者であると判断して、ロック装置の解除信号を出力する制御装置とを備えたことを特徴とする医療用保管庫。
【請求項３】
前記制御装置は、解除信号を出力して一定時間経過後、ロック装置でロックすることを特徴とする請求項２に記載の医療用保管庫。
【請求項４】
前記制御装置は、前記断熱扉の開放操作が為されない場合には解除信号を停止し、ロック装置でロックすることを特徴とする請求項２に記載の医療用保管庫。
【請求項５】
前記制御装置は、第１のメモリに記憶された個人データと解除可能データが一致し、且つ、入力部に暗証番号が入力された場合に、正当な解除権者であると判断することを特徴とする請求項２に記載の医療用保管庫。
【請求項６】
開口を有する断熱箱本体に対して開閉自在に取り付けられる断熱扉と、当該断熱扉と断熱箱本体とで形成される収納室を備えた医療用保管庫において、前記断熱扉を電磁的にロックするロック装置と、ＩＤカードの個人データを読み取るカードリーダと、暗証番号を登録する入力部と、個人データを記憶する第１のメモリと、入力された暗証番号を記憶する第２のメモリと、予め複数の解除可能データを設定・記憶する基準メモリと、前記第１のメモリに記憶された個人データと解除可能データが一致し、且つ、入力部に暗証番号が入力された場合に、正当な解除権者であると判断して、ロック装置の解除信号を出力する制御装置と、前記断熱扉の開閉を検出する開閉検出部とを備え、制御装置は、解除信号を出力して一定時間以内に開閉検出部にて扉の開放が検出されない場合には、ロック装置で断熱扉をロックさせることを特徴とする医療用保管庫。
【請求項７】
前記制御装置は、解除信号の出力時刻、停止時刻、開閉検出部による開閉状態の検出記録を履歴情報として記憶させることを特徴とする請求項６に記載の医療用保管庫。
【請求項８】
前記ロック装置には、制御装置により記憶された履歴情報を印刷させるための印刷用ポートを備えたこと特徴とする請求項７に記載の医療用保管庫。
【請求項９】
前記医療用保管庫は、保管庫として危険な状態になったことを報知する報知手段を備えることを特徴とする請求項６に記載の医療用保管庫。
【発明の詳細な説明】
【技術分野】
【０００１】
本発明は、高温側の冷凍回路における蒸発器と、低温側の冷凍回路における凝縮器とをカスケード接続させることにより、より低温度の貯蔵温度を実現する二元冷凍回路を備えた冷却装置により、−８０℃前後の超低温度域に冷却維持される貯蔵室がある低温貯蔵庫や、培養室の温度・湿度・ガス組成を制御して試料の培養を行うインキュベータと称する培養庫、血液保管庫等医療用物品を保管する収納室を有する医療用保管庫、特に開口を閉塞する断熱扉を電磁的にロックするロック装置を備えた医療用保管庫に関するものである。
【背景技術】
【０００２】
低温貯蔵庫は、−６０℃〜−９０℃程度の超低温度域の生成のために、二元冷凍回路が用いられており、高温側の冷凍回路の蒸発器と低温側の冷温回路の凝縮器とをカスケード接続することにより構成したものがある。この低温貯蔵庫は、その温度帯をとらえて、別名超低温フリーザーと呼ばれることがある。一方、缶飲料やパック飲料だけでなく、カップ麺やポップコーン用のトウモロコシをカップ詰めにしたもの等貯蔵対象を自動的に販売する目的で自動販売装置なるものがある。他方、ホテル、独身寮、研修所など人が寝泊まり可能に設計された部屋（所謂客室）のドアを、データ登録されているカードにより自動的に施錠・解錠するカードキー式電子錠装置が考案されている。
【０００３】
例えば、特許文献１に示されるように、自動販売機に設けた開閉扉が閉じられたときに払い出し機構を作動させる一方、当該開閉扉を自動ロックするロック装置を設けることにより、商品の取り出し口や被処理物のための出し入れ口を開閉する開閉扉を確実に閉めてもらえるようにしている。また、例えば、特許文献２に示されるように、カードスイッチに、受信機能を有するセンサと、発信装置と、これらセンサと発信装置とを制御する制御装置とを設ける一方、カードキー式電子錠に、同じように、受信機能を有するセンサと、発信装置と、これらセンサと発信装置とを制御する制御装置とを設け、カードスイッチからの信号を受信したとき施錠を中止する（オートロックしない）ようにしている。
【特許文献１】特開２００２−３７３３７２号公報
【特許文献２】特開平５−１６５８３３号公報  特許文献１に示すような自動販売装置にあっては、開閉扉が閉じられたときに当該開閉扉を自動ロックするロック装置を設けることで、開閉扉を確実に閉めるようにしているが、そのロック装置を医療用保管庫（特に低温貯蔵庫）にそのまま適用することはできない。即ち、自動的に販売することを目的とする自動販売装置と、物品を低温に貯蔵することを目的とする医療用保管庫とではその目的において明らかに相違するため、目的の異なる物品に対してロック装置をそのまま転用することは不可能である。また、特許文献２に示されるカードキー式電子錠装置にあっては、電子錠とカードスイッチとの間で交信させることによりカードを取り忘れても自動ロックがかからないようにすることで、客室に入れなくなる不具合を解消しているものの、カードスイッチ及びカードキー式電子錠の双方に、受信機能を有するセンサと、発信装置と、これらセンサと発信装置とを制御する制御装置とを設けるため、カードスイッチ及びカードキー式電子錠そのものが非常に高価なものになってしまう。さらに、人為操作にはミスが付き物であるが、この操作ミスをカバーできるような、ロック解除の方法については何ら考慮されておらず、さらに、他人のカードを盗難したり偽造したりすることで違法にカードを入手した場合でも、カードを使用すれば誰もが電子錠を解除することができるため、客人を安心して寝泊まりさせることを目的に運営されている客室サービスとしては、その安全性の面で多少の不安があった。
【発明の開示】
【発明が解決しようとする課題】
【０００４】
本発明は、このような医療用保管庫にあって、ＩＤカードの個人データと、入力された暗証番号との少なくとも何れか一方が予め登録されている解除権を有するデータに一致する場合に、断熱扉を電磁的にロックするロック装置の解除を可能にするようにして、医療用保管庫の不必要な扉開放操作を回避できる医療用保管庫を提供することを目的とする。また、これに加えて、本発明は、ロックを解除した場合でも、人為的に断熱扉の開放操作が為されない場合には、先の解除信号を停止し、ロック装置で再度ロックして安全性を高めた医療用保管庫を提供することを目的とするものである。
【課題を解決するための手段】
【０００５】
請求項１の発明の医療用保管庫（１）は、開口を有する断熱箱本体に対して開閉自在に取り付けられる断熱扉（３）と、当該断熱扉と断熱箱本体（２）とで形成される収納室と、前記断熱扉を電磁的にロックするロック装置（１０）を設け、ＩＤカード（２９）の個人データと、入力された暗証番号との少なくとも何れか一方が予め登録されている解除権を有するデータに一致する場合に、ロック装置（１０）の解除を可能にするものである。
【０００６】
請求項２の発明の医療用保管庫（１）は、開口を有する断熱箱本体に対して開閉自在に取り付けられる断熱扉（３）と、当該断熱扉と断熱箱本体とで形成される収納室と、前記断熱扉を電磁的にロックするロック装置（１０）と、ＩＤカードの個人データを読み取るカードリーダ（９）と、暗証番号を登録する入力部（２３）と、個人データを記憶する第１のメモリ（３１）と、入力された暗証番号を記憶する第２のメモリ（３２）と、予め設定・記憶された複数の解除可能データと、前記第１のメモリに記憶された個人データと解除可能データが一致するか、または、入力部に暗証番号が入力された場合に、正当な解除権者であると判断して、ロック装置（１０）の解除信号を出力する制御装置（Ｓ）とを備えたものである。
【０００７】
請求項３の発明の医療用保管庫（１）の制御装置（Ｓ）は、解除信号を出力して一定時間（ｔ）経過後、ロック装置（１０）でロックするものである。
【０００８】
請求項４の発明の医療用保管庫（１）の制御装置（Ｓ）は、前記断熱扉の開放操作が為されない場合には解除信号を停止し、ロック装置（１０）でロックするものである。
【０００９】
請求項５の発明の医療用保管庫（１）の制御装置（Ｓ）は、第１のメモリ（３１）に記憶された個人データと解除可能データが一致し、且つ、入力部に暗証番号が入力された場合に、正当な解除権者であると判断するものである。
【００１０】
請求項６の発明の医療用保管庫（１）は、開口を有する断熱箱本体に対して開閉自在に取り付けられる断熱扉（３）と、当該断熱扉と断熱箱本体とで形成される収納室と、前記断熱扉を電磁的にロックするロック装置（１０）と、ＩＤカードの個人データを読み取るカードリーダ（９）と、暗証番号を登録する入力部（２３）と、個人データを記憶する第１のメモリ（３１）と、入力された暗証番号を記憶する第２のメモリ（３２）と、予め複数の解除可能データを設定・記憶する基準メモリ（３３）と、前記第１のメモリ（３１）に記憶された個人データと基準メモリ（３３）に設定・記憶された解除可能データが一致し、且つ、入力部（２３）にて入力された暗証番号が第２のメモリ（３２）に記憶された番号と一致した場合に、正当な解除権者であると判断して、ロック装置（１０）の解除信号を出力する制御装置（Ｓ）と、前記断熱扉の開閉を検出する開閉検出部（１６）とを備え、制御装置（Ｓ）は、解除信号を出力して一定時間（ｔ）以内に開閉検出部（１６）にて扉の開放が検出されない場合には、ロック装置（１０）で断熱扉（３）をロックさせるものである。
【００１１】
請求項７の発明の医療用保管庫（１）の制御装置（Ｓ）は、解除信号の出力時刻、開閉検出部（１６）による開閉状態の検出記録、停電時間及び停電復帰時間を履歴情報として記憶させるものである。
【００１２】
請求項８の発明の医療用保管庫（１）のロック装置（１０，６０）は、制御装置（Ｓ）により記憶された履歴情報を印刷させるための印刷用ポート（３９）を備えたものである。
【００１３】
請求項９の発明の医療用保管庫（１）は、保管庫として危険な状態になったことを報知する報知手段（２８）を備えるものである。
【発明の効果】
【００１４】
以上詳述した如く請求項１の発明によれば、ＩＤカード（２９）の個人データと、入力された暗証番号との少なくとも何れか一方が予め登録されている解除権を有するデータに一致する場合に、断熱扉（３）を電磁的にロックするロック装置（１０）のロック状態を解除するようにしたことで、使用者は、ＩＤカード若しくは暗証番号の何れであっても、正式な解除権を有する場合には、ロック装置（１０）のロックを解除することができるため、非常に安全な医療用保管庫を提供できる。
【００１５】
以上詳述した如く請求項２の発明によれば、断熱扉を電磁的にロックするロック装置（１０）と、ＩＤカードの個人データを読み取るカードリーダ（９）と、暗証番号を登録する入力部と、個人データを記憶する第１のメモリと、入力された暗証番号を記憶する第２のメモリと、予め設定・記憶された複数の解除可能データとを備え、ロック装置（１０）の解除信号を出力する制御装置（Ｓ）が、第１のメモリに記憶された個人データと解除可能データが一致するか、または、入力部に暗証番号が入力された場合に、正当な解除権者であると判断するため、使用者は、ＩＤカード若しくは暗証番号の何れであっても、正当な解除権か否かを判断することができ、非常に安全且つ堅固な医療用保管庫を提供することができる。
【００１６】
以上詳述した如く請求項３の発明によれば、制御装置（Ｓ）は、解除信号を出力してから一定時間（ｔ）経過後にロック装置（１０）により断熱扉（３）を自動的に再ロックするため、解除信号の出力後一定時間（ｔ）を目安に断熱扉を強制的に再ロックすることができ、医療用保管庫（１）としての安全性が向上する。
【００１７】
以上詳述した如く請求項４の発明によれば、制御装置（Ｓ）は、断熱扉の開放操作が為されない場合には、解除信号によりロックを解除した状態で、使用者に何らかの事態があったものと判断して、解除信号を停止し、ロック装置（１０）でロックすることにより、医療用保管庫（１）の状態を常時監視しながら、貯蔵対象物を安全な状態に維持することが可能となり、医療用保管庫（１）としての安全性を向上できる。
【００１８】
以上詳述した如く請求項５の発明によれば、制御装置（Ｓ）は、第１のメモリに記憶された個人データと解除可能データが一致し、且つ、入力部に暗証番号が入力された場合に、正当な解除権者であると判断するため、他人のＩＤカードを盗難したり偽造したりすることで違法にＩＤカードを入手した場合でも、ＩＤカードを使用するだけでは電子錠のロック状態を解除することができないため、医療用保管庫（１）としての安全性の向上に加えて、不必要な扉開放操作を回避することができる。
【００１９】
以上詳述した如く請求項６の発明によれば、断熱扉を電磁的にロックするロック装置（１０）と、ＩＤカードの個人データを読み取るカードリーダ（９）と、暗証番号を登録する入力部（２３）と、個人データを記憶する第１のメモリ（３１）と、入力された暗証番号を記憶する第２のメモリ（３２）と、予め複数の解除可能データを設定・記憶する基準メモリ（３３）と、前記第１のメモリ（３１）に記憶された個人データと解除可能データが一致し、且つ、入力部（２３）にて入力された暗証番号が第２のメモリ（３２）に記憶された番号と一致した場合に、正当な解除権者であると判断して、ロック装置（１０）の解除信号を出力する制御装置（Ｓ）と、前記断熱扉の開閉を検出する開閉検出部（１６）とを備え、制御装置（Ｓ）は、解除信号を出力して一定時間（ｔ）以内に開閉検出部（１６）にて扉の開放が検出されない場合には、ロック装置（１０）で断熱扉をロックさせることにより、一定時間（ｔ）と開閉検出部（１６）の検出結果の両面から、医療用保管庫（１）の状態を判断することができ、状態判断に基づきより安全な状態に維持することが可能となり、医療用保管庫（１）としての安全性が向上する。
【００２０】
以上詳述した如く請求項７の発明によれば、制御装置（Ｓ）は、解除信号の出力時刻、停止時刻、開閉検出部（１６）による開閉状態の検出記録を履歴情報として記憶させることにより、常時、医療用保管庫（１）の運転状態を監視する一方、その履歴情報に基づき、異常発生時における医療用保管庫（１）の状態を判断する証拠（材料）とし、その対策を講じることが可能となる。
【００２１】
以上詳述した如く請求項８の発明によれば、ロック装置（１０，６０）は、制御装置（Ｓ）により記憶された履歴情報を印刷させるための印刷用ポート（３９を備えているので、必要に応じてこの印刷用ポート（３９）にプリンタを接続して、記憶した履歴情報を印刷させることが可能となり、使い勝手を向上できるる。
【００２２】
以上詳述した如く請求項９の発明によれば、保管庫として危険な状態になったことを報知する報知手段（２８）を備えることで、常時監視に加えて、保管庫（１）としての安全性をより正確に判断することができ、安全性が向上する。
【発明を実施するための最良の形態】
【００２３】
以下、図面に基づき本発明の実施例を詳述する。図１は本発明の第一の実施例を示す前面開放式の医療用保管庫として特に低温貯蔵庫の斜視図、図２はロック装置と断熱扉の関係を説明する斜視図、図３は低温貯蔵庫の側面に取り付けたカードリーダの斜視図、図４は制御装置の信号入出力関係を示すブロック回路図、図５は本発明のカードリーダの初期設定の流れを説明するフローチャート、図６は個人データ、登録番号の登録手順の流れを説明するフローチャート、図７はロック装置のロック解除手順と解除権者判断手順の流れを説明するフローチャート、図８は本発明の個人データ、登録番号の削除手順の流れを説明するフローチャート、図９は医療用保管庫の運転状況を記録する流れを説明するフローチャート、図１０は履歴情報の登録・印刷等その他の信号処理の流れを説明するフローチャート、図１１は本発明の第二の実施例を示す上面開放式の医療用保管庫としての培養庫の斜視図である。
【実施例１】
【００２４】
本発明の第一の実施形態を示す低温貯蔵庫（超低温フリーザ）１は、図１に示されるように、前面に開口を有する断熱箱本体２と、当該断熱箱本体２に複数のヒンジ（図示せず）により開閉自在に取り付けられ開口を閉塞する外扉としての右開き式の断熱扉と、当該扉３と本体２とで形成される図示しない収納室としての貯蔵室と、この貯蔵室をマイナス８０℃前後に冷却する冷却装置や電装箱等の電気・機械部品を収納する機械室（共に図示せず）とを備える。
【００２５】
５は、断熱扉３と本体２の左側面前部に設けられ、断熱扉３を断熱箱本体２に対して強固に締め付ける固定装置である。冷却装置により貯蔵室内がマイナス８０℃程度の低温度に維持されるため、一般的に空気冷却による収縮作用にて、貯蔵室内が貯蔵庫１の外部に比べて負圧（低圧）になる。その結果、単に断熱扉に磁石付きのガスケットを設けて、磁石による吸引力のみでシールを行ったとしも、この圧力差によって、外気が開口に向けて吸引される現象を程よく抑制することができないことが、実験的に確かめられている。そこで、この固定装置５を設け、断熱扉３を断熱箱本体２に対して強固に締め付けるようにし、できる限り、ガスケットと本体開口周縁部との隙間を無くすようにしている。７は、断熱扉３の適所、例えば上部中央に設けた表示部であり、貯蔵室内の温度や貯蔵庫としての警報、運転状態及び運転モード等を表示する。
【００２６】
図１乃至図３において、９は、断熱箱本体２の適所、例えば左側面前部に設けたカードリーダであり、１０は、断熱箱本体２と断熱扉３の適所、例えば本体の上面前部と断熱扉３の上面左端部に設けたロック装置である。
【００２７】
図２において、ロック装置１０には、その電磁力によってロック本体１１に設けられた鍵体１３がロック受け部１２に係止されて、断熱扉３を断熱箱本体２に対してロックするようにしている。このロック本体１１には、何らかの事情によりロック装置１０のロックが解除できなくなった場合でも、マスターキー（図示せず）によって鍵体１３のロックを強制的に解除するための鍵穴１５と、断熱扉３の開閉を検出する開閉検出部としてのドアスイッチ１６とを設けている。
【００２８】
図３において、カードリーダ９は、リーダ本体２１と、個人データが記憶されたＩＤカード２９を差し込むことで当該個人データを読み取る読取部２２、及びテンキー２５、モード変更キー２６及びエンターキー２７等の入力手段及び操作状態や照合状態をランプやＬＥＤにて表示したり或いはブザーにて報知したりする表示手段２８を設けた操作部２３とを備える。
【００２９】
制御装置Ｓの信号入出力関係を示す図４において、３１はＩＤカード２９の個人データ及びカードリーダ９の操作部２３におけるテンキー２５等により入力された暗証番号を記憶する第１のメモリ、３２は解除信号の出力時刻、開閉検出部１６による開閉状態の検出記録、停電時間及び停電復帰時間を履歴情報として記憶する第２のメモリ、３３は予め複数の解除可能データを設定・記憶する基準メモリ、３４は制御装置Ｓにより出力される信号に基づき一定時間ｔをカウントし一定時間ｔの経過後に経過信号を出力するタイマである。尚、本実施例の説明上は、メモリを３つに分けて説明しているが、メモリの個数を現すものではなく、あくまでも機能別に分けて説明したに過ぎず、この３つに限定されるものではない。しかも、第１のメモリ３１と、基準メモリ３３とを別物としているが、両者は同じメモリであっても差し支えない。
【００３０】
本発明の第一の実施形態における制御装置Ｓでの登録・判断等の動作を図５乃至図１０のフローチャートに基づき簡単に説明する。図６は個人データ、登録番号の登録手順の流れを説明するフローチャート、図７は解除権者判断（即ちロック解除判断）の流れを説明するフローチャート、図８は個人データ、登録番号の削除手順の流れを説明するフローチャート、図９は医療用保管庫の通常の動作中における記録の流れを説明するフローチャート、図１０は履歴情報の登録・印刷等その他の信号処理の流れを説明するフローチャートである。
【００３１】
図５において、ステップＳ１乃至ステップＳ４は初期設定操作を示しており、当該初期設定操作を行う場合、まずステップＳ１にて施錠信号を出力してロック装置１０によりロック状態とし、ステップＳ２にて初期設定記号たる”００００”を入力して、ステップＳ３でエンターキー２７を押すことにより、ステップＳ４でドアのロックを解除する信号が出力される。これにて、暗証番号やＩＤの登録・削除等が行えるモード選択可能状態となる。
【００３２】
図６において、ステップＳ５乃至ステップＳ８はモード選択操作を、ステップＳ９乃至ステップＳ３６は３つの登録モードをそれぞれ示している。次に、ステップＳ５で登録モードか否か、即ち第１のメモリ３１にデータが登録されているか否かが判断され、データが登録されていればステップ２に復帰し、データが登録されていなければ、使用者がステップＳ６でモード変更キー２６を規定時間（たとえば３秒間）以上押す操作を行う。この操作により、モード選択状態に入ったことを報知すべく、ステップＳ７にて応答ブザーを鳴らすとともに表示部のＯＫランプを点滅させる。
【００３３】
ステップＳ８では、テンキー２５の数字毎にそれぞれ特有のモードを予め当てはめておく。例えば、本実施例においては、”０”には登録した暗証番号やＩＤコードを削除する削除モードを、”１”には暗証番号やＩＤコードを登録する登録モードを、”６”には暗証番号とＩＤコードをそれぞれダブルで登録するダブル登録モードを、”２”には履歴を記憶させる履歴モードを、”３”には記憶された履歴を外部接続のプリンタに印刷する印刷モードを、”４”には記録した履歴をすべて削除する全履歴削除モードを、”５”には通信用のＩＤコード（３桁）を登録する通信用ＩＤ設定モードを、”７”には登録した暗証番号及びＩＤコードを共に削除するダブル削除モードを、それぞれ用意した。
【００３４】
ステップＳ９では、使用者に押された数値キーがあるのか否かが判断され、数値キーが押されないか予めモードを与えられていない数字キーが押された場合にはステップＳ５に復帰し、予め当てはめた特有のモードに対応する数値キー（ここでは、”０”乃至”７”）が押されれば、各モードに移行する。
【００３５】
即ち、ステップＳ１０乃至ステップＳ１８にて、暗証番号を登録する暗証番号登録モードを、ステップＳ２１乃至ステップＳ２４にてＩＤカードを使用してＩＤコードを登録するＩＤ登録モードを、ステップＳ３０乃至ステップＳ３６にて暗証番号とＩＤコードをそれぞれダブルで登録するダブル登録モードをそれぞれ表現し、各モードを説明する。尚、記憶された登録番号やＩＤデータを削除するモードは図８に、その他のモードは図１０に分けて記載している。
【００３６】
まずステップＳ１０にて暗証番号登録モードか否か（詳しくは、数値キー”１”が押されたか否か）が判断され、暗証番号登録モードでなければステップＳ２１へ移行し、暗証番号登録モードであればステップＳ１１で一定時間（例えば３０秒間）以内に使用者により所望の（例えば６桁の）暗証番号が入力されたか否かが判断される。使用者は、暗証番号の入力後ステップＳ１２でエンターキー２７を押す。
【００３７】
たった一度きりの入力操作では、人為操作のミスが懸念されるため、ステップＳ１３及びステップＳ１４にて、もう一度同じ暗証番号を入力させるようにして、入力ミスや登録番号の記憶間違い等の人為ミスを回避するようにしている。そして、ステップＳ１５にて、２回の入力数値が一致するか否かが判断され、一致しなければステップＳ１８で入力ミスがあった旨を報知するために、ＮＧブザーを数秒間（例えば２秒間）鳴らして、ステップＳ１０へ復帰し、２回の入力数値が一致すればステップＳ１６で入力操作が正確に行われたこと、即ち暗証番号登録が完了したことを報知するＯＫブザーを鳴らすとともに、第１のメモリ３１にこの最大で６桁の登録番号を記憶する。このＯＫブザーの鳴動時間は、ＮＧブザーの鳴動時間よりも短くてよい（ここでは、３６０ｍ秒と約６分の１に設定した）。ステップＳ１７では、制御装置２０が施錠信号を出力してロック装置１０によりロック状態とする。
【００３８】
ここまでで暗証番号の登録操作が終了するため、使用者は、登録した暗証番号で本当にロック装置２０によるロック状態を解除することができるか否かを試すことがある。また、この登録操作が済んで、医療用保管庫１，５１のある場所を離れて、他の作業をした後、再び医療用保管庫のある場所に戻り、扉を開けようとすることがある。この際、図７に示すロック解除の判断操作が行われる。
【００３９】
次に、ステップＳ２１にてＩＤ登録モードか否かが判断され、ＩＤ登録モードでなければステップＳ３０へ移行し、ＩＤ登録モードであればステップＳ２２でカードリーダ９の読取部２２による読み取り操作があったか否か、即ち使用者によりＩＤカード２９を使用して所望の（例えば４桁の）ＩＤコードが入力されたか否かが判断される。読み取り操作がなければステップＳ５に戻り、読み取り操作があればステップＳ２３で第１のメモリ３１に当該４桁以内のＩＤコードを記憶してＩＤ登録を完了して、ステップＳ２４では、制御装置２０が施錠信号を出力してロック装置１０によりロック状態として、ステップＳ５にする。
【００４０】
これでＩＤコードの登録操作が終了するため、使用者は、登録したＩＤコードで本当にロック装置２０によるロック状態を解除することができるか否かを試すことがある。また、この登録操作が済んで、医療用保管庫１，５１のある場所を離れて、他の作業をした後、再び医療用保管庫のある場所に戻り、扉を開けようとすることがある。この際の説明は、図７において行う。
【００４１】
そして、ステップＳ３０にてダブル登録モードか否か（詳しくは、数値キー”６”が押されたか否か）が判断され、ダブル登録モードでなければ図８に示すステップＳ６０へ移行し、ダブル登録モードであればステップＳ３１で一定時間（例えば３０秒間）以内に使用者により所望の（例えば６桁の）暗証番号が入力されたか否かが判断される。使用者は、暗証番号の入力後ステップＳ３２でエンターキー２７を押す。
【００４２】
たった一度きりの入力操作では、人為操作のミスが懸念されるため、ステップＳ３３及びステップＳ３４にて、もう一度同じ暗証番号を入力させるようにして、入力ミスや登録番号の記憶間違い等の人為ミスを回避するようにしている。そして、ステップＳ３５にて、２回の入力数値が一致するか否かが判断され、一致しなければステップＳ１８で入力ミスがあった旨を報知するために、ＮＧブザーを数秒間（例えば２秒間）鳴らして、ステップＳ５へ復帰し、２回の入力数値が一致すればステップＳ３６で入力操作が正確に行われたこと、即ち暗証番号登録が完了したことを報知するＯＫブザーを鳴らすとともに、第１のメモリ３１にこの最大で６桁の登録番号を記憶する。
【００４３】
さらに、ステップＳ３７でカードリーダ９の読取部２２による読み取り操作があったか否か、即ち使用者によりＩＤカード２９を使用して所望の（例えば４桁の）ＩＤコードが入力されたか否かが判断される。読み取り操作がなければステップＳ５に戻り、読み取り操作があればステップＳ３８で第１のメモリ３１に当該４桁以内のＩＤコードを記憶してＩＤ登録を完了して、ステップＳ３９で、制御装置２０が施錠信号を出力してロック装置１０によりロック状態とする。
【００４４】
これで暗証番号とＩＤコードの両方の（即ちダブルの）登録操作が終了するため、使用者は、登録したＩＤコード及び暗証番号で本当にロック装置２０によるロック状態を解除することができるか否かを試すことがある。また、このダブル登録の操作が済んで、医療用保管庫１，５１のある場所を離れて、他の作業をした後、再び医療用保管庫のある場所に戻り、扉を開けようとすることがある。この手順についても、第７図にて説明する。
【００４５】
図７におけるロック解除の判断手順は、以下の通りである。まず、使用者が暗証番号を入力した場合には、制御装置２０はステップＳ４０で暗証番号が入力されたか否かを判断し、入力されなければステップＳ４４へ移行し、入力されればステップＳ４１にて第１のメモリに記憶された暗証番号と、改めて入力された数値とが一致するか否かを判断する。ステップＳ４１で両方の数値が一致しなければ、図６のステップＳ１８で入力ミスがあった旨を報知するために、ＮＧブザーを数秒間（例えば２秒間）鳴らして、図６のステップＳ１０へ復帰し、両方の数値が一致すれば制御装置２０はステップＳ４２で解除信号を出力してロックを解除させて、図６のステップＳ５へ復帰する。
【００４６】
また、使用者がＩＤカード２９を使用してカードリーダ９の読取部２２にカードを通せば、制御装置２０はステップＳ４４でＩＤコードの読み取りがあったか否かが判断され、読み取られなければステップＳ５へ移行し、読み取りがあればステップＳ４５にて第１のメモリに記憶されたＩＤコードと、改めて読み取られたコードとが一致するか否かを判断する。ステップＳ４５で両方のコードが一致しなければ、図６に示すステップＳ１８でＩＤコードの異なるＩＤカードが操作されたと判断してその旨を報知するために、ＮＧブザーを数秒間（例えば２秒間）鳴らして、図６のステップＳ１０へ復帰し、両方のコードが一致すれば制御装置２０はステップＳ４６で解除信号を出力してロックを解除させて、図６のステップＳ５へ戻る。
【００４７】
次に、使用者はＩＤカード２９を使用してカードリーダ９の読取部２２にカードを通せば、制御装置２０はステップＳ５０でＩＤコードの読み取りがあったか否かを判断し、読み取られなければ図６のステップＳ５へ移行し、読み取りがあればステップＳ５１にて第１のメモリに記憶されたＩＤコードと、改めて読み取られたコードとが一致するか否かを判断する。ステップＳ５１で両方のコードが一致しなければ、図６のステップ１２８でＩＤコードの異なるＩＤカードが操作されたと判断してその旨を報知するために、ＮＧブザーを数秒間（例えば２秒間）鳴らして、図６のステップＳ１０へ復帰する。
【００４８】
ステップＳ５１で両方のコードが一致すれば制御装置２０はステップＳ５２で暗証番号が入力されたか否かを判断し、入力されなければ図６のステップＳ５へ移行し、入力されればステップＳ５３にて第１のメモリに記憶された暗証番号と、改めて入力された数値とが一致するか否かを判断する。ステップＳ５３で両方の数値が一致しなければ、図６のステップＳ１８で入力ミスがあった旨を報知するために、ＮＧブザーを数秒間（例えば２秒間）鳴らして、同じく図６のステップＳ１０へ復帰し、両方の数値が一致すれば制御装置２０はステップＳ５４で解除信号を出力してロックを解除させて、同じく図６のステップＳ５へ戻る。
【００４９】
この図７では示していないが、タイマ３４を使用して、解除信号を出力した後ある一定時間（例えば４５秒間）経過しても扉の開放操作が為されない場合には、ステップＳ４０に復帰するようにしておけば、不用意な扉開放操作を防止できる。尚、この一定時間は、使用者が任意に設定できることは言うまでもない。
【００５０】
図８において、ステップＳ６０乃至ステップＳ６８にて、登録した暗証番号を削除する暗証番号削除モードを、ステップＳ７１乃至ステップＳ７４にてＩＤカードを使用してＩＤコードを削除するＩＤ削除モードを、ステップＳ８０乃至ステップＳ８９にて登録された暗証番号とＩＤコードをそれぞれダブルで削除するダブル削除モードをそれぞれ表現し、各モードについて説明する。
【００５１】
まず、ステップＳ６０にて暗証番号削除モードか否か（詳しくは、数値キー”０”が押されたか否か）が判断され、暗証番号削除モードでなければステップＳ７１へ移行し、暗証番号削除モードであればステップＳ６１で一定時間（例えば３０秒間）以内に使用者により所望の（例えば６桁の）暗証番号が入力されたか否かが判断される。使用者は、暗証番号の入力後ステップＳ６２でエンターキー２７を押す。
【００５２】
たった一度きりの入力操作では、人為操作のミスが懸念されるため、ステップＳ６３及びステップＳ６４にて、もう一度同じ暗証番号を入力させるようにして、入力ミスや登録番号の記憶間違い等の人為ミスを回避するようにしている。そして、ステップＳ６５にて、２回の入力数値が一致するか否かが判断され、一致しなければステップＳ６８で入力ミスがあった旨を報知するために、ＮＧブザーを数秒間（例えば２秒間）鳴らして、ステップＳ１０へ復帰し、２回の入力数値が一致すればステップＳ６６で入力操作が正確に行われたこと、即ち暗証番号の削除が完了したことを報知するＯＫブザーを鳴らすとともに、第１のメモリ３１に記憶された最大で６桁の登録番号を削除する。このＯＫブザーの鳴動時間は、ＮＧブザーの鳴動時間よりも短くてよい（ここでは、３６０ｍ秒と約６分の１に設定した）。ステップＳ６７では、制御装置２０が施錠信号を出力してロック装置１０によりロック状態とし、ここまでで暗証番号の削除操作が終了する。
【００５３】
次に、ステップＳ７１にてＩＤ削除モードか否かが判断され、ＩＤ削除モードでなければステップＳ８０へ移行し、ＩＤ削除モードであればステップＳ７２でカードリーダ９の読取部２２による読み取り操作があったか否か、即ち使用者によりＩＤカード２９を使用して所望の（例えば４桁の）ＩＤコードが入力されたか否かが判断される。読み取り操作がなければステップＳ６０に戻り、読み取り操作があればステップＳ７３で第１のメモリ３１に記憶された当該４桁以内のＩＤコードを削除してＩＤコードの削除を完了して、ステップＳ７４で、制御装置２０が施錠信号を出力してロック装置１０によりロック状態とし、これでＩＤコードの削除操作が終了する。
【００５４】
そして、ステップＳ８０にてダブル削除モードか否か（詳しくは、数値キー”７”が押されたか否か）が判断され、ダブル削除モードでなければ図６に示すステップＳ５へ移行し、ダブル削除モードであればステップＳ８１で一定時間（例えば３０秒間）以内に使用者により所望の（例えば６桁の）暗証番号が入力されたか否かが判断される。使用者は、暗証番号の入力後ステップＳ８２でエンターキー２７を押す。ステップＳ８３及びステップＳ８４にて、もう一度同じ暗証番号を入力させるようにして、入力ミスや登録番号の記憶間違い等の人為ミスを回避するようにしている。
【００５５】
また、ステップＳ８５にて、２回の入力数値が一致するか否かが判断され、一致しなければステップＳ６８で入力ミスがあった旨を報知するために、ＮＧブザーを数秒間（例えば２秒間）鳴らして、図６のステップＳ１０へ復帰し、２回の入力数値が一致すればステップＳ８６で入力操作が正確に行われたこと、即ち暗証番号登録が完了したことを報知するＯＫブザーを鳴らすとともに、第１のメモリ３１にこの最大で６桁の登録番号を記憶する。
【００５６】
さらに、ステップＳ８７でカードリーダ９の読取部２２による読み取り操作があったか否か、即ち使用者によりＩＤカード２９を使用して所望の（例えば４桁の）ＩＤコードが入力されたか否かが判断される。読み取り操作がなければ図６のステップＳ５に戻り、読み取り操作があればステップＳ８８で第１のメモリ３１に記憶された当該４桁以内のＩＤコードを削除してＩＤコードの削除作業を完了して、ステップＳ８９で、制御装置２０が施錠信号を出力してロック装置１０によりロック状態とする。以上で、暗証番号とＩＤコードの両方の（即ちダブルの）削除操作が終了する。
【００５７】
他方、図９のステップＳ９１乃至ステップＳ１００にて、医療用保管庫の通常状態における運転状況、即ち運転履歴を記憶させる履歴モードを説明する。図９において、履歴記憶モードであればステップＳ９１でドアスイッチ１６による扉の開放操作があったか否かが判断される。扉開放操作がなければステップＳ９３へ移行し、扉開放操作があればステップＳ９２で第２のメモリに開放時刻を記憶する。ステップＳ９３では、ドアスイッチ１６による検出で扉の閉塞操作があったか否かが判断される。扉の閉塞操作がなければステップＳ９５へ移行し、扉の閉塞操作があればステップＳ９４で第２のメモリにその閉塞時刻を記憶する。
【００５８】
ステップＳ９５では停電を検出する停電検出部による検出動作で停電異常があったか否かが判断される。停電異常がなければステップＳ９７へ移行し、停電があればステップＳ９６で第２のメモリに停電時刻を記憶する。ステップＳ９７で停電検出部による検出動作で停電から通電状態への復帰があったか否かが判断される。停電復帰がなければステップＳ９９へ移行し、停電復帰があればステップＳ９８で第２のメモリに復帰時刻を記憶する。ステップＳ９９では、医療用保管庫が危険な状態か否かが判断され、危険な状態でなければ図６のステップＳ５へ復帰し、危険な状態であればステップＳ１００で第２のメモリに異常時刻を記憶して、ステップＳ９１へ復帰する。
【００５９】
図１０において、ステップＳ１０１乃至ステップＳ１０７にて、医療用保管庫の運転時における年月日を記憶させる履歴モードを、ステップＳ１１０乃至ステップＳ１１２にて記憶された履歴を外部接続のプリンタに印刷する印刷モードを、ステップＳ１２１乃至ステップＳ１２２にて記録した履歴をすべて削除する全履歴削除モードを、ステップＳ１３１乃至ステップＳ１３４にて通信用のＩＤコード（３桁）を登録する通信用ＩＤ設定モードをそれぞれ表現し、各モードを説明する。
【００６０】
ステップＳ１０１では、履歴記憶モードか否か（詳しくは、数値キー”２”が押されたか否か）が判断され、履歴記憶モードでなければステップＳ１１０へ移行し、履歴モードであればステップＳ１０３で使用者がその日の年月日を１０桁で入力し、ステップＳ１０４でエンターキー２７を押す。ステップＳ１０５では、エンターキー２７の操作があったか否かが判断され、操作がなければ不適当な処理と判断して、ステップＳ１０７で不適当な処理があった旨を報知するために、ＮＧブザーを数秒間（例えば２秒間）鳴らして、図６のステップＳ５へ復帰し、エンターキー２７の操作があればステップＳ１０６で処理が適当に行われたこと、即ち履歴記憶が完了したことを報知するＯＫブザーを鳴らして、同じく図６のステップＳ５へ復帰する。
【００６１】
一方、ステップＳ１１０では、履歴印刷モードか否か（詳しくは、数値キー”３”が押されたか否か）が判断され、履歴印刷モードでなければステップＳ１２１へ移行し、履歴印刷モードであればステップＳ１１１でロック装置１０の印刷用ポート３９にプリンタのコードが接続されたか否かが判断される。印刷用ポート３９にプリンタコードが接続されなければ図６のステップＳ５へ復帰し、ポートに接続されればステップＳ１１２で第２のメモリに記憶された情報（即ち履歴情報）をプリンタに出力し、すべての履歴情報を印刷して、図６のステップＳ５に復帰する。
【００６２】
ステップＳ１２１では、履歴削除モードか否か（詳しくは、数値キー”４”が押されたか否か）が判断され、履歴削除モードでなければステップＳ１３１へ移行し、履歴削除モードであればステップＳ１２２で第２のメモリに記憶された情報（即ち履歴情報）をすべて削除して、図６のステップＳ５に復帰する。
【００６３】
他方、ステップＳ１３１では、通信用ＩＤ設定モードか否か（詳しくは、数値キー”５”が押されたか否か）が判断され、通信用ＩＤ設定モードでなければ図６のステップＳ５へ移行し、通信用ＩＤ設定モードであればステップＳ１３２で使用者が所望の（例えば３桁の）通信用ＩＤを入力する。次のステップＳ１３３では、通信用ＩＤが入力されたか否かが判断され、通信用ＩＤが入力されなければステップＳ１３２へ復帰し、入力されればステップＳ１３４で第２のメモリに入力された最大で３桁の通信用ＩＤを記憶して、図６のステップＳ５に復帰する。
【００６４】
以上の如く、本発明の第一の実施形態における医療用保管庫１によれば、ＩＤカード２９の個人データと、入力された暗証番号との少なくとも何れか一方が予め登録されている解除権を有するデータに一致する場合に、断熱扉３を電磁的にロックするロック装置１０のロック状態を解除するようにしたことで、使用者は、ＩＤカード若しくは暗証番号の何れであっても、正式な解除権を有する場合には、ロック装置１０のロックを解除することができるため、非常に安全な医療用保管庫を提供できる。
【００６５】
また、断熱扉を電磁的にロックするロック装置１０と、ＩＤカードの個人データを読み取るカードリーダ９と、暗証番号を登録する入力部２３と、個人データを記憶する第１のメモリ３１と、入力された暗証番号を記憶する第２のメモリ３２とを備え、ロック装置１０の解除信号を出力する制御装置Ｓが、第１のメモリ３１に記憶された個人データと、予め設定・記憶された複数の解除可能データとが一致するか、または、入力部２３により暗証番号が入力された場合に、正当な解除権者であると判断するため、使用者は、ＩＤカード２９若しくは暗証番号の何れであっても、正当な解除権か否かを判断することができ、非常に安全且つ堅固な医療用保管庫１を提供することができる。
【００６６】
一方、制御装置Ｓは、解除信号を出力してから一定時間ｔ経過後にロック装置１０により断熱扉３を自動的に再ロックするため、解除信号の出力後一定時間ｔを目安に断熱扉を強制的に再ロックすることができ、医療用保管庫１としての安全性が向上し、断熱扉の開放操作が為されない場合には、解除信号によりロックを解除した状態で、使用者に何らかの事態があったものと判断して、解除信号を停止し、ロック装置１０でロックすることにより、医療用保管庫１の状態を常時監視しながら、貯蔵対象物を安全な状態に維持することが可能となる。
【００６７】
他方、制御装置Ｓは、第１のメモリ３１に記憶された個人データと解除可能データが一致し、且つ、入力部２３により暗証番号が入力された場合に、正当な解除権者であると判断するため、他人のＩＤカード２９を盗難したり偽造したりすることで違法にＩＤカード２９を入手した場合でも、ＩＤカード２９を使用するだけではロック装置１０のロック状態を解除することができないため、医療用保管庫１としての安全性の向上に加えて、不必要な扉開放操作を回避することができる。
【実施例２】
【００６８】
本発明の第二の実施例を示す医療用保管庫（インキュベータ）５１は、図８に示されるように、前面に開口を有する断熱箱本体５２と、当該断熱箱本体５２に複数のヒンジ（図示せず）により開閉自在に取り付けられ開口を閉塞する外扉としての断熱扉５３と、当該扉５３と本体５２とで形成される図示しない収納室としての培養室と、この培養室の温度・湿度・ガス組成を制御して試料の培養を行う培養装置や電装箱等の電気・機械部品を収納する機械室（共に図示せず）とを備える。５９は、断熱箱本体５２の適所、例えば左側面前部に設けたカードリーダであり、６０は、断熱箱本体５２と断熱扉５３の適所、例えば本体５２の左側面前部と断熱扉５３の上面左端部に設けたロック装置である。これら、カードリーダ５９とロック装置６０は、第一の実施形態と同じであるため、その詳細説明は省略する。
【００６９】
以上の如く本発明の第二の実施形態におけるロック装置６０によれば、断熱扉を電磁的にロックするロック装置６０と、ＩＤカードの個人データを読み取るカードリーダ５９と、暗証番号を登録する入力部２３と、個人データを記憶する第１のメモリ３１と、入力された暗証番号を記憶する第２のメモリ３２と、予め複数の解除可能データを設定・記憶する基準メモリ３３と、第１のメモリ３１に記憶された個人データと基準メモリ３３に記憶された解除可能データが一致し、且つ、入力部２３にて入力された暗証番号が第２のメモリ３２に記憶された番号と一致した場合に、正当な解除権者であると判断して、ロック装置６０の解除信号を出力する制御装置Ｓと、断熱扉の開閉を検出する開閉検出部１６とを備え、制御装置Ｓは、解除信号を出力して一定時間ｔ以内に開閉検出部１６にて扉の開放が検出されない場合には、ロック装置６０で断熱扉をロックさせることにより、一定時間ｔと開閉検出部１６の検出結果の両面から、医療用保管庫６１の状態を判断することができ、状態判断に基づきより安全な状態に維持することが可能となり、医療用保管庫６１としての安全性が向上する。
【００７０】
また、制御装置Ｓは、解除信号の出力時刻、停止時刻、開閉検出部１６による開閉状態の検出記録を履歴情報として記憶させることにより、常時、医療用保管庫６１の運転状態を監視する一方、その履歴情報に基づき、異常発生時における医療用保管庫６１の状態を判断する証拠（材料）とし、その対策を講じることが可能となり、さらに、ロック装置６０は、制御装置Ｓにより記憶された履歴情報を印刷させるための印刷用ポート３９を備えているので、必要に応じてこの印刷用ポート３９にプリンタを接続して、記憶した履歴情報を印刷させることが可能となり、使い勝手を向上でき、保管庫として危険な状態になったことを報知する報知手段２８を備えることで、常時監視に加えて、医療用保管庫６１としての安全性をより正確に判断することができる。
【図面の簡単な説明】
【００７１】
【図１】本発明の第一の実施例を示す前面開放式の低温貯蔵庫の斜視図である。
【図２】本発明の低温貯蔵庫のロック装置と断熱扉の関係を説明する斜視図である。
【図３】本発明の低温貯蔵庫の側面に取り付けたカードリーダの斜視図である。
【図４】本発明の制御装置の信号入出力関係を示すブロック回路図である。
【図５】本発明のカードリーダの初期設定の流れを説明するフローチャートである。
【図６】本発明の個人データ、登録番号の登録手順の流れを説明するフローチャートである。
【図７】本発明のロック装置のロック解除手順と解除権者判断手順の流れを説明するフローチャートである。
【図８】本発明の個人データ、登録番号の削除手順の流れを説明するフローチャートである。
【図９】本発明の医療用保管庫の運転状況を記録する流れを説明するフローチャートである。
【図１０】本発明の履歴情報の登録・印刷等その他の信号処理の流れを説明するフローチャートである。
【図１１】本発明の第二の実施例を示す上面開放式の医療用保管庫の斜視図である。
【符号の説明】
【００７２】
１  医療用保管庫（超低温フリーザ）
２，５２  断熱箱本体
３，５３  断熱扉
９，５９  カードリーダ
１０，６０  ロック装置
１１  ロック本体
１２  ロック受け部
１３  鍵体
１６  開閉検出部（ドアスイッチ）
２１  リーダ本体
２２  読取部
２３  操作部
２５  テンキー
２６  モード変更キー
２７  エンターキー
２８  表示部
２９  ＩＤカード
Ｓ  制御装置
３１  第１のメモリ
３２  第２のメモリ
３３  基準メモリ
３４  タイマー
３９  印刷用ポート
５１  医療用保管庫（インキュベータ）
【図１】
2005133502.tif 000003
【図２】
2005133502.tif 000004
【図３】
2005133502.tif 000005
【図４】
2005133502.tif 000006
【図５】
2005133502.tif 000007
【図６】
2005133502.tif 000008
【図７】
2005133502.tif 000009
【図８】
2005133502.tif 000010
【図９】
2005133502.tif 000011
【図１０】
2005133502.tif 000012
【図１１】
2005133502.tif 000013